(57)【要約】  【課題】  娯楽性の高い携帯型電子機器、通信システム及びコンピュータプログラムを提供する。  【解決手段】  携帯型電話機１は、位置検出手段にて自機の位置を検出し（Ｓ１０１）、検出した自機の位置が予め記録されている位置範囲情報が示す位置範囲内であるか否かを判定し（Ｓ１０２）、位置範囲内であると判定した場合（Ｓ１０２：ＹＥＳ）、時計手段が示す現在の時刻を読み取り（Ｓ１０３）、位置範囲情報にて示されている位置範囲に自機が進入してから位置範囲情報が示す位置範囲内で自機の位置が検出され続けている経過時間を算出し（Ｓ１０５）、算出した経過時間が、予め記録されている経過時間設定値を超えているか否かを判定し（Ｓ１０６）、経過時間設定値を超えていると判定した場合（Ｓ１０６：ＹＥＳ）、予め記録している音声データに基づく音声を出力する（Ｓ１０７）。【選択図】      図２
2006319472.tif 000002
【特許請求の範囲】
【請求項１】
音声データに基づいて音声を出力する音声出力手段及び自機の位置を検出する位置検出手段を備える携帯型電子機器において、
位置範囲及び時間の設定、並びに音声データを記録する記録手段と、
前記位置検出手段を用いて自機の位置を検出する手段と、
検出した自機の位置が、前記記録手段に記録されている位置範囲内であるか否かを判定する手段と、
位置範囲内であると判定した場合に、自機の位置が位置範囲内で検出され続けている経過時間を算出する手段と、
算出した経過時間が予め設定されている時間を超えているか否かを判定する手段と、
予め設定されている時間を超えていると判定したときに、前記記録手段に記録している音声データに基づく音声を前記音声出力手段から出力させる手段と
を備えることを特徴とする携帯型電子機器。
【請求項２】
音声データに基づいて音声を出力する音声出力手段、時刻を示す時計手段及び自機の位置を検出する位置検出手段を備える携帯型電子機器において、
時刻及び位置範囲の設定、並びに音声データを記録する記録手段と、
前記時計手段が示す時刻が、前記記録手段に記録している時刻であるか否かを判定する手段と、
記録されている時刻であると判定した場合に、前記位置検出手段を用いて自機の位置を検出する手段と、
検出した自機の位置が、前記記録手段に記録されている位置範囲内であると判定したときに、前記記録手段に記録している音声データに基づく音声を音声出力手段から出力させる手段と
を備えることを特徴とする携帯型電子機器。
【請求項３】
地名又は建造物名を示す地理情報、及び位置範囲を示す範囲情報を対応付けて記録する地図データベースと、
地名又は建造物名を示す地理情報の入力を受け付ける手段と、
受け付けた地理情報に対応付けられている範囲情報を、前記地図データベースから抽出する手段と
を更に備え、
前記記録手段に記録している位置範囲は、範囲情報として示される位置範囲である
ことを特徴とする請求項２に記載の携帯型電子機器。
【請求項４】
パケット交換網を介してデータ通信を行う通信手段と、
音声データに基づく音声を前記音声出力手段から出力させる場合に、予め記録しているパケット交換網上の位置を指示する指示情報に基づいて、前記通信手段により、データ通信を実行する手段と
を更に備えることを特徴とする請求項１乃至請求項３のいずれかに記載の携帯型電子機器。
【請求項５】
電話機能を更に備えることを特徴とする請求項１乃至請求項４のいずれかに記載の携帯型電子機器。
【請求項６】
前記請求項２に記載の携帯型電子機器と、
該携帯型電子機器とパケット交換網を介してデータ通信をすることが可能な中央装置と
を備え、
前記携帯型電子機器は、
地名又は建造物名を示す地理情報の入力を受け付ける手段と、
受け付けた地理情報を前記中央装置へ送信する手段と
を備え、
該中央装置は、
地理情報及び位置範囲を示す範囲情報を対応付けて記録する地図データベースと、
受信した地理情報に対応付けられている範囲情報を、前記地図データベースから抽出する手段と、
抽出した範囲情報を前記携帯型電子機器へ送信する手段と
を備え、
該携帯型電子機器は、更に、
受信した範囲情報が示す位置範囲を、自機の位置と比較する位置範囲として設定する手段を備える
ことを特徴とする通信システム。
【請求項７】
音声データに基づいて音声を出力する音声出力手段及び自機の位置を検出する位置検出手段を備えるコンピュータにて実行されるコンピュータプログラムにおいて、
コンピュータに、前記位置検出手段を用いて位置を検出させる手順と、
コンピュータに、検出した自機の位置が予め設定されている位置範囲内であるか否かを判定させる手順と、
コンピュータに、予め設定されている位置範囲内であると判定した場合に、自機の位置が、位置範囲内で検出され続けている経過時間を算出させる手順と、
コンピュータに、算出した経過時間が予め設定されている時間を超えているか否かを判定させる手順と、
コンピュータに、予め設定されている時間を超えていると判定したときに、予め記録している音声データに基づく音声を音声出力手段から出力させる手順と
を実行させることを特徴とするコンピュータプログラム。
【請求項８】
音声データに基づいて音声を出力する音声出力手段、時刻を示す時計手段及び自機の位置を検出する位置検出手段を備えるコンピュータにて実行されるコンピュータプログラムにおいて、
コンピュータに、時計手段が示す時刻が、予め設定されている時刻であるか否かを判定させる手順と、
コンピュータに、予め設定されている時刻であると判定した場合、前記位置検出手段を用いて自機の位置を検出させる手順と、
コンピュータに、検出した自機の位置が予め設定されている位置範囲内であると判定したときに、予め記録している音声データに基づく音声を音声出力手段から出力させる手順と
を実行させることを特徴とするコンピュータプログラム。
【発明の詳細な説明】
【技術分野】
【０００１】
音声出力手段及び位置検出手段を備える携帯型電子機器、該携帯型電子機器を備える通信システム、並びに前記携帯型電子機器を実現するためのコンピュータプログラムに関し、特に娯楽性を高めた携帯型電子機器、通信システム及びコンピュータプログラムに関する。
【背景技術】
【０００２】
現在、携帯型電話機が広く普及している。携帯型電話機では、着呼時、電子メールの受信時、及び予め設定している時刻に到達した場合に、例えば着信音、着信メロディと呼ばれる音声を出力する。また携帯型電話機の紛失防止を目的として、落下時の衝撃を検知して警報を出力する携帯型電話機が特許文献１に提案されている。
【特許文献１】特開２００１−１７７６３９号公報
【発明の開示】
【発明が解決しようとする課題】
【０００３】
しかしながら携帯型電話機に対しては、特許文献１に開示されている様な実用的な技術もさることながら、娯楽性が強く求められている。特に現行での携帯型電話機の購買（交換を含む）層の中心をなす若年層にとっては、その娯楽性が購買動機の主要因となり得るからである。即ち携帯型電話機は、購買意欲を刺激する娯楽性の向上という課題を有している。また消費者の購買意欲を刺激するため、更なる機能の追加が求められている。
【０００４】
本発明は斯かる事情に鑑みてなされたものであり、所定時間以上、予め設定されている位置範囲内に、自機が位置すると判定した場合に、所定の音声を出力することにより、消費者の購買意欲を刺激する携帯型電話機等の携帯型電子機器、及び該携帯型電子機器を実現するためのコンピュータプログラムの提供を目的とする。
【０００５】
さらに所定の時刻に、所定の位置範囲内に、自機が位置すると判定した場合、所定の音声を出力することにより、消費者の購買意欲を刺激する携帯型電話機等の携帯型電子機器、該携帯型電子機器を用いた通信システム、及び前記携帯型電子機器を実現するためのコンピュータプログラムの提供を目的とする。
【課題を解決するための手段】
【０００６】
第１発明に係る携帯型電子機器は、音声データに基づいて音声を出力する音声出力手段及び自機の位置を検出する位置検出手段を備える携帯型電子機器において、位置範囲及び時間の設定、並びに音声データを記録する記録手段と、前記位置検出手段を用いて自機の位置を検出する手段と、検出した自機の位置が、前記記録手段に記録されている位置範囲内であるか否かを判定する手段と、位置範囲内であると判定した場合に、自機の位置が位置範囲内で検出され続けている経過時間を算出する手段と、算出した経過時間が予め設定されている時間を超えているか否かを判定する手段と、予め設定されている時間を超えていると判定したときに、前記記録手段に記録している音声データに基づく音声を前記音声出力手段から出力させる手段とを備えることを特徴とする。
【０００７】
本発明では、予め設定されている位置範囲、例えばユーザの居所から所定時間以上出ていないと判定したときに、「たまには外に連れて行ってよ。」という様な音声を出力することにより、携帯型電子機器を擬人化し、娯楽性を高めることが可能である。
【０００８】
第２発明に係る携帯型電子機器は、音声データに基づいて音声を出力する音声出力手段、時刻を示す時計手段及び自機の位置を検出する位置検出手段を備える携帯型電子機器において、時刻及び位置範囲の設定、並びに音声データを記録する記録手段と、前記時計手段が示す時刻が、前記記録手段に記録している時刻であるか否かを判定する手段と、記録されている時刻であると判定した場合に、前記位置検出手段を用いて自機の位置を検出する手段と、検出した自機の位置が、前記記録手段に記録されている位置範囲内であると判定したときに、前記記録手段に記録している音声データに基づく音声を音声出力手段から出力させる手段とを備えることを特徴とする。
【０００９】
本発明では、所定の時刻に、所定の位置範囲内に、自機が位置すると判定したとき、「待ち合わせの時間です。」という様な音声を出力することにより、娯楽性を高め、しかも時間だけでなく、位置も管理することが可能なスケジュール機能を提供することが可能である。
【００１０】
第３発明に係る携帯型電子機器は、第２発明において、地名又は建造物名を示す地理情報、及び位置範囲を示す範囲情報を対応付けて記録する地図データベースと、地名又は建造物名を示す地理情報の入力を受け付ける手段と、受け付けた地理情報に対応付けられている範囲情報を、前記地図データベースから抽出する手段とを更に備え、前記記録手段に記録している位置範囲は、範囲情報として示される位置範囲であることを特徴とする。
【００１１】
本発明では、地名、建造物名等の名称を位置範囲に変換することができるので、設定時の操作が容易であり、ユーザにとって使い勝手の良いマンマシンインターフェースを提供することが可能である。
【００１２】
第４発明に係る携帯型電子機器は、第１発明乃至第３発明において、パケット交換網を介してデータ通信を行う通信手段と、音声データに基づく音声を前記音声出力手段から出力させる場合に、予め記録しているパケット交換網上の位置を指示する指示情報に基づいて、前記通信手段により、データ通信を実行する手段とを更に備えることを特徴とする。
【００１３】
本発明では、音声を出力すると共に、指示情報に基づくデータ通信により、所定のウェブページを表示させるので、音声と、ウェブページとを連動させて、新たな娯楽性を提供することが可能である。
【００１４】
第５発明に係る携帯型電子機器は、第１発明乃至第４発明のいずれかにおいて、電話機能を更に備えることを特徴とする。
【００１５】
本発明では、ユーザが長時間所持し、またユーザと共に移動することが想定される携帯型電話機に適用することにより、例えば擬人化した音声を出力させる場合には、ユーザと常時行動を共にする仮想的なペットとしての演出が可能であり、また検出した位置をユーザの位置と仮定し、例えばスケジュールに関する音声を出力することで、ユーザの利便性を向上させることが可能である等の購買意欲を刺激する様々な機能に展開することが可能である。
【００１６】
第６発明に係る通信システムは、第２発明に記載の携帯型電子機器と、該携帯型電子機器とパケット交換網を介してデータ通信をすることが可能な中央装置とを備え、前記携帯型電子機器は、地名又は建造物名を示す地理情報の入力を受け付ける手段と、受け付けた地理情報を前記中央装置へ送信する手段とを備え、該中央装置は、地理情報及び位置範囲を示す範囲情報を対応付けて記録する地図データベースと、受信した地理情報に対応付けられている範囲情報を、前記地図データベースから抽出する手段と、抽出した範囲情報を前記携帯型電子機器へ送信する手段とを備え、該携帯型電子機器は、更に、受信した範囲情報が示す位置範囲を、自機の位置と比較する位置範囲として設定する手段を備えることを特徴とする。
【００１７】
本発明では、所定の時刻に、所定の位置範囲内に、自機が位置すると判定したとき、「待ち合わせの時間です。」という様な音声を出力することにより、娯楽性を高め、しかも時間だけでなく、位置も管理することが可能なスケジュール機能を提供することが可能である。さらに地図データベースを用いて地名、建造物名等の名称を位置範囲に変換することができるので、位置範囲設定時の操作が容易であり、ユーザにとって使い勝手の良いマンマシンインターフェースを提供することが可能である。しかも地図データベースを中央装置にて管理することにより、携帯型電子機器の記録領域を圧迫することがなく、また処理負荷を軽減することが可能である。
【００１８】
第７発明に係るコンピュータプログラムは、音声データに基づいて音声を出力する音声出力手段及び自機の位置を検出する位置検出手段を備えるコンピュータにて実行されるコンピュータプログラムにおいて、コンピュータに、前記位置検出手段を用いて位置を検出させる手順と、コンピュータに、検出した自機の位置が予め設定されている位置範囲内であるか否かを判定させる手順と、コンピュータに、予め設定されている位置範囲内であると判定した場合に、自機の位置が、位置範囲内で検出され続けている経過時間を算出させる手順と、コンピュータに、算出した経過時間が予め設定されている時間を超えているか否かを判定させる手順と、コンピュータに、予め設定されている時間を超えていると判定したときに、予め記録している音声データに基づく音声を音声出力手段から出力させる手順とを実行させることを特徴とする。
【００１９】
本発明では、携帯型電話機等のコンピュータにて実行し、予め設定されている位置範囲、例えばユーザの居所から所定時間以上出ていないと判定したときに、「たまには外に連れて行ってよ。」という様な音声を出力することにより、携帯型電子機器を擬人化し、娯楽性を高めることが可能である。
【００２０】
第８発明に係るコンピュータプログラムは、音声データに基づいて音声を出力する音声出力手段、時刻を示す時計手段及び自機の位置を検出する位置検出手段を備えるコンピュータにて実行されるコンピュータプログラムにおいて、コンピュータに、時計手段が示す時刻が、予め設定されている時刻であるか否かを判定させる手順と、コンピュータに、予め設定されている時刻であると判定した場合、前記位置検出手段を用いて自機の位置を検出させる手順と、コンピュータに、検出した自機の位置が予め設定されている位置範囲内であると判定したときに、予め記録している音声データに基づく音声を音声出力手段から出力させる手順とを実行させることを特徴とする。
【００２１】
本発明では、携帯型電話機等のコンピュータにて実行し、所定の時刻に、所定の位置範囲内に、自機が位置すると判定したとき、「待ち合わせの時間です。」という様な音声を出力することにより、娯楽性を高め、しかも時間だけでなく、位置も管理することが可能なスケジュール機能を提供することが可能である。
【発明の効果】
【００２２】
本発明に係る携帯型電子機器及びコンピュータプログラムは、例えば携帯型電話機に適用され、スピーカ等の音声出力手段、時計手段、及び全地球測位システム(GPS:Global Positioning System)等の位置検出手段を備え、位置検出手段により検出した自機の位置が、予め設定されている位置範囲内で、予め設定されている時間を超えて存在し続けていると判定した場合に、予め記録している音声データに基づく音声を出力する。
【００２３】
この構成により、本発明では、携帯型電子機器が、予め設定されている位置範囲、例えばユーザの居所から所定時間以上出ていないと判定したときに、「たまには外に連れて行ってよ。」という様な音声を出力することにより、携帯型電子機器を擬人化し、娯楽性を高めることが可能である等、優れた効果を奏する。
【００２４】
また本発明に係る携帯型電子機器、通信システム及びコンピュータプログラムは、例えば携帯型電話機に適用され、スピーカ等の音声出力手段、時計手段及び位置検出手段を備え、時計手段から読み取った時刻が予め設定されている時刻で、位置検出手段により検出した自機の位置が予め設定されている位置範囲内である場合に、予め記録している音声データに基づく音声を出力する。
【００２５】
この構成により、本発明では、携帯型電子機器がユーザに携帯されており、位置検出手段が検出する位置は、ユーザの位置に合致するという前提の上で、予め設定されている時刻及び位置に関する条件を満足した場合に、「待ち合わせの時間です。」という様な音声を出力することにより、時間だけでなく、位置も管理することが可能なスケジュール機能を提供することが可能である等、優れた効果を奏する。
【００２６】
さらに本発明に係る携帯型電子機器等では、音声を出力すると共に、パケット交換網上の位置を指示するＵＲＬ(Universal Resource Locator)等の指示情報に基づくデータ通信により、所定のウェブページを表示させるので、音声と、ウェブページとを連動させて、新たな娯楽性を提供することが可能である等、優れた効果を奏する。
【００２７】
さらに本発明に係る携帯型電子機器等では、地名、又は駅名、ビル名等の建造物名を示す地理情報を、範囲情報に対応付けて記録する地図データベースを用い、範囲情報にて示される位置範囲の設定を、地図データベースを用いて、地理情報から変換する。
【００２８】
この構成により、位置範囲設定時の操作が容易であり、ユーザにとって使い勝手の良いマンマシンインターフェースを提供することが可能である等、優れ効果を奏する。しかも地図データベースを、携帯型電子機器と通信することが可能な中央装置にて管理することにより、携帯型電子機器の記録領域を圧迫することがなく、また処理負荷を軽減することが可能である等、優れた効果を奏する。
【発明を実施するための最良の形態】
【００２９】
以下、本発明をその実施の形態を示す図面に基づいて詳述する。
【００３０】
実施の形態１．
図１は、本発明の実施の形態１における携帯型電話機の構成を示すブロック図である。図１中１は、本発明の携帯型電話機であり、携帯型電話機１は、各種通信処理、音声入出力処理、画像表示処理等の各種処理を制御するＣＰＵ(Central Processing Unit) 等の制御手段１０と、各種処理に必要な本発明の実施の形態１におけるコンピュータプログラム３１及びデータ等の各種情報を記録するＲＯＭ(Read Only Memory)、ＲＡＭ(Random Access Memory)等の記録手段１１とを備えている。そして記録手段１１に記録されている本発明のコンピュータプログラム３１に含まれる各種手順を制御手段１０の制御にて実行することにより、携帯型電話機１は、本発明の携帯型電子機器として動作する。携帯型電話機１が備える記録手段１１には、本発明のコンピュータプログラム３１だけでなく、Ｃ−ＨＴＭＬ(Compact Hyper-Text Markup Language)、ＭＭＬ(Mobile Markup Language)、ＨＤＭＬ(Handheld Device Markup Language) 等のページ記述言語で記述された各種情報をウェブページとして表示するための閲覧用ソフトウェアプログラム（以下、ブラウザという）等の様々なプログラムが記録されている。さらに記録手段１１には、音声の出力に用いられる音声データ、インターネット等のパケット交換網４１上の装置に記録されているファイル又はプログラムの位置を指示するＵＲＬ(Universal Resource Locator)等の指示情報、後述する処理の判定に用いられる位置範囲を示す位置範囲情報及び経過時間の設定値を示す経過時間設定値等の様々なデータが記録されている。記録手段１１に記録されたこれらの様々なデータは、ユーザによる入力、パケット交換網４１を介しての受信等の様々な方法で受け付け、記録したものである。
【００３１】
また携帯型電話機１は、パケット交換網４１を介したデータ通信、無線電話回線網４２を介した電話通信等の通信網を介した通信を制御する通信制御手段１２と、電話通信用のデジタル音声情報、ページ記述言語で記述された各種デジタルデータ等の情報を送受信するアンテナ及びその付属回路等の通信手段１３とを備えている。
【００３２】
さらに携帯型電話機１は、スピーカ等の音声出力手段１４と、マイク等の音声入力手段１５と、音声出力手段１４から出力される音声信号及び音声入力手段１５から入力される音声信号の変換処理を行う音声処理手段１６とを備えている。音声処理手段１６による変換処理とは、音声出力手段１４から出力すべくデジタル信号をアナログ音声信号に変換する処理、及び音声入力手段１５から入力された音声に基づくアナログ音声信号をデジタル信号に変換する処理である。
【００３３】
さらに携帯型電話機１は、英数字、記号、各種命令等のキー入力を受け付ける押釦等のキー入力手段１７と、キー入力手段１７からキー入力された情報、送受信する情報等の各種情報を表示する液晶ディスプレイ等の表示手段１８とを備えている。
【００３４】
さらに携帯型電話機１は、全地球測位システム(GPS:Global Positioning System)を使用して自機の位置を検出する位置検出手段１９、及び時刻を示す時計手段２０を備える。なお位置検出手段１９が位置を検出するシステムとしては、全地球方位システムに限らず、ＰＨＳ(Personal Handyphone System)を用いた位置検出システム等の様々なシステムを使用することが可能である。
【００３５】
次に本発明の実施の形態１における携帯型電話機１の処理について説明する。図２は、本発明の実施の形態１における携帯型電話機１の処理を示すフローチャートである。携帯型電話機１は、コンピュータプログラム３１を実行する制御手段１０の制御により、位置検出手段１９にて自機の位置を検出し（Ｓ１０１）、検出した自機の位置が記録手段１１に記録されている位置範囲情報が示す位置範囲内であるか否かを判定する（Ｓ１０２）。ステップＳ１０１において位置検出手段１９が検出した自機の位置は経度及び緯度を示す位置情報として取得される。また位置範囲情報が示す位置範囲とは、閉領域を経度及び緯度を用いて示す情報である。例えば位置範囲が多角形の閉領域である場合、多角形の各頂点の経度及び緯度が位置範囲情報として用いられる。また位置範囲が円形の閉領域である場合、円の中心の経度及び緯度並びに円の半径が位置範囲情報として用いられる。そしてステップＳ１０２の判定では、ステップＳ１０１にて検出した自機の位置が、位置範囲情報にて示される閉領域内に位置するか否かを経度及び緯度から判定する。
【００３６】
ステップＳ１０２において、自機の位置が、位置範囲情報が示す位置範囲内であると判定した場合（Ｓ１０２：ＹＥＳ）、携帯型電話機１は、制御手段１０の制御により、時計手段２０が示す現在の時刻を読み取り（Ｓ１０３）、位置範囲情報にて示されている位置範囲に自機が進入した時刻を示す進入時刻が記録手段１１に記録されているか否かを判定する（Ｓ１０４）。
【００３７】
ステップＳ１０４において、進入時刻が記録されていると判定した場合（Ｓ１０４：ＹＥＳ）、携帯型電話機１は、制御手段１０の制御により、読み取った現在の時刻と、記録されている進入時刻との差を計算することで、位置範囲情報が示す位置範囲内で自機の位置が検出され続けている経過時間を算出し（Ｓ１０５）、算出した経過時間が、記録手段１１に記録されている経過時間設定値を超えているか否かを判定する（Ｓ１０６）。ステップＳ１０４において進入時刻が記録されているという状況とは、自機の位置を前回検出した時も検出した自機の位置が位置範囲情報にて示される位置範囲内であったということを示す。
【００３８】
ステップＳ１０６において、経過時間が経過時間設定値を超えていると判定した場合（Ｓ１０６：ＹＥＳ）、携帯型電話機１は、制御手段１０の制御により、記録手段１１に記録している音声データに基づく音声を音声出力手段１４から出力し（Ｓ１０７）、記録手段１１に記録している指示情報に基づいて、パケット交換網４１上の装置に記録されているファイル又はプログラムにアクセスするデータ通信を実行し（Ｓ１０８）、実行したデータ通信にて取得したデータをブラウザの処理により、ウェブページとして表示手段１８に表示し（Ｓ１０９）、処理を終了する。ステップＳ１０１〜Ｓ１０９にて示した様に、本発明の実施の形態１における携帯型電話機１では、例えばユーザの居所を示す位置範囲を位置範囲情報として設定しておき、経過時間を超えて居所から出ていない場合に、ステップＳ１０７にて「たまには外に連れていってよ。」という様な音声を出力する。ステップＳ１０９では、例えば新商品の発売日、商業施設のイベント等の予め登録しているユーザの嗜好に応じた情報が表示される様に設定されたウェブページを表示することで、擬人化された携帯型電話機１がユーザに対して外出を促す様に演出することも可能である。なおステップＳ１０９の処理を終了後、３０分等の所定時間待機し、ステップＳ１０１へ戻り、以降の処理を繰り返す様にしても良い。
【００３９】
ステップＳ１０２において、自機の位置が、位置範囲情報が示す位置範囲外であると判定した場合（Ｓ１０２：ＮＯ）、携帯型電話機１は、制御手段１０の制御により、記録手段１１に記録されている進入時刻を消去し（Ｓ１１０）、３０分等の所定時間待機後、ステップＳ１０１へ戻り、以降の処理を繰り返す。ステップＳ１１０にて進入時刻を消去することにより、ステップＳ１０５にて算出される経過時間を初期化することができる。
【００４０】
ステップＳ１０４において、記録手段１１に進入時刻が記録されていないと判定した場合（Ｓ１０４）、携帯型電話機１は、制御手段１０の制御により、読み取った現在の時刻を記録手段１１に進入時刻として記録し（Ｓ１１１）、３０分等の所定時間待機後、ステップＳ１０１へ戻り、以降の処理を繰り返す。ステップＳ１０４において進入時刻が記録されていない状況とは、位置範囲情報にて示される位置範囲に新たに進入したということを示し、進入時刻を記録することにより、ステップＳ１０５にて算出される経過時間の計時を開始することとなる。
【００４１】
ステップＳ１０６において、経過時間が経過時間設定値を超えていないと判定した場合（Ｓ１０６：ＮＯ）、携帯型電話機１は、制御手段１０の制御により、３０分等の所定時間待機後、ステップＳ１０１へ戻り、以降の処理を繰り返す。
【００４２】
前記実施の形態１では、位置範囲情報が示す閉領域の内部に携帯型電話機１が所定時間以上居続けた場合に音声を出力する形態を示したが、本発明はこれに限らず、例えば位置範囲情報が示す閉領域の外部を、設定されている位置範囲と見なす様に設定することも可能であり、その場合、「早く帰ろうよ。」という様な音声を出力する等、様々な形態に展開することが可能である。
【００４３】
また前記実施の形態１では、指示情報に基づくウェブページを表示する形態を示したが、本発明はこれに限らず、記録手段に予め記録している画像を表示させる等、様々な形態に展開することが可能である。
【００４４】
実施の形態２．
実施の形態２は、実施の形態１の携帯型電話機に、該携帯型電話機とパケット交換網を介してデータ通信をすることが可能なウェブサーバコンピュータを用いた中央装置を組み合わせて通信システムを構成させる形態である。図３は、本発明の実施の形態２における通信システムの構成を示すブロック図である。図３中１は、本発明の実施の形態２における携帯型電話機であり、携帯型電話機１は、記録手段１１を備え、記録手段１１には、本発明の実施の形態２におけるコンピュータプログラム３２、データベース形式で記録されるスケジュール等の様々な情報が記録されている。そして携帯型電話機１は、パケット交換網４１を介してウェブサーバコンピュータ等のコンピュータを用いた中央装置５と通信することができる。なおその他の構成については、実施の形態１と同様であるので、実施の形態１と同様の構成要素については、実施の形態１と同様の符号を付し、その機能については、実施の形態１を参照するものとし、詳細な説明を省略する。そして記録手段１１に記録されている本発明のコンピュータプログラム３２に含まれる各種手順を制御手段１０の制御にて実行することにより、携帯型電話機１は、本発明の携帯型電子機器として動作する。
【００４５】
中央装置５は、装置全体を制御するＣＰＵ等の制御手段５０、ハードディスク等の記録手段５１、ＲＡＭ等の記憶手段５２、及びパケット交換網４１に接続する通信手段５３を備えている。なお記録手段５１の記録領域の一部は、地名又は建造物名を示す地理情報と、経度及び緯度を用いて位置範囲を示す位置範囲情報とを対応付けて記録する地図データベース５１ａとして用いられている。なお建造物名とは、ビル名、各種施設名、駅名等の建造物、所謂ランドマークの名称である。
【００４６】
次に本発明の実施の形態２における通信システムが備える各種装置の処理について説明する。図４は、本発明の実施の形態２における携帯型電話機１及び中央装置２のスケジュール設定処理を示すフローチャートである。携帯型電話機１のユーザは、スケジュールを登録する処理として、日時、位置、音声、指示情報等のスケジュール情報をキー入力手段１７にて行う。日時の入力は、年月日及び時刻の入力であるが、「１２：００」等の瞬間的な時刻ではなく、「１２：００〜１３：００」等の時間帯の入力であっても良い。位置の入力とは、経度及び緯度により示される位置又は位置範囲の入力であるが、地名又は建造物名を示す地理情報を入力する様にしても良い。なおここでは地理情報が入力されたものとして以降の処理を説明する。音声の入力とは、記録手段１１に記録されている音声データの指定又は音声入力手段１５からの音声の入力である。指示情報の入力とは、指示情報に基づくデータ通信の要否及びデータ通信を要する場合の記録手段１１に記録されている指示情報の指定である。
【００４７】
携帯型電話機１は、コンピュータプログラム３２を実行する制御手段１０の制御により、キー入力手段１７等の入力手段から地理情報を含むスケジュール情報の入力を受け付け（Ｓ２０１）、スケジュール情報に含まれる地理情報を、通信手段１３からパケット交換網４１を介して中央装置５へ送信する（Ｓ２０２）。
【００４８】
中央装置５は、制御手段５０の制御により、通信手段５３にて地理情報を受信し（Ｓ２０３）、受信した地理情報に対応付けられた位置範囲情報を地図データベース５１ａから抽出し（Ｓ２０４）、抽出した位置範囲情報を、通信手段５３からパケット交換網４１を介して携帯型電話機１へ送信する（Ｓ２０５）。
【００４９】
携帯型電話機１は、制御手段１０の制御により、通信手段１３にて位置範囲情報を受信し（Ｓ２０６）、受信した位置範囲情報及びステップＳ２０１にて受け付けたスケジュール情報を、スケジュールとして記録手段１１に記録する（Ｓ２０７）。このようにしてスケジュールが設定される。
【００５０】
図５は、本発明の実施の形態２における携帯型電話機１のスケジュール通知処理を示すフローチャートである。携帯型電話機１は、コンピュータプログラム３２を実行する制御手段１０の制御により、時計手段２０が示す時刻を読み取り（Ｓ３０１）、読み取った時刻が、記録手段１１にスケジュールとして設定されている時刻であるか否かを判定する（Ｓ３０２）。
【００５１】
ステップＳ３０２において、読み取った時刻が設定されている時刻であると判定した場合（Ｓ３０２：ＹＥＳ）、携帯型電話機１は、制御手段１０の制御により、位置検出手段１９にて自機の位置を検出し（Ｓ３０３）、検出した自機の位置が記録手段１１にスケジュールとして設定している位置範囲情報が示す位置範囲内であるか否かを判定する（Ｓ３０４）。
【００５２】
ステップＳ３０４において、自機の位置が位置範囲内であると判定した場合（Ｓ３０４：ＹＥＳ）、携帯型電話機１は、制御手段１０の制御により、記録手段１１にスケジュールとして設定している音声データに基づく音声を音声出力手段１４から出力し（Ｓ３０５）、記録手段１１にスケジュールとして設定している指示情報に基づいて、パケット交換網４１上の装置に記録されているファイル又はプログラムにアクセスするデータ通信を実行し（Ｓ３０６）、実行したデータ通信にて取得したデータをブラウザの処理により、ウェブページとして表示手段１８に表示し（Ｓ３０７）、処理を終了する。例えば１２：００に大門駅に居た場合に、「待ち合わせの時間です。」という音声を出力し、周辺の地図を表示する。
【００５３】
ステップＳ３０２において、読み取った時刻が設定されている時刻ではないと判定した場合（Ｓ３０２：ＮＯ）、携帯型電話機１は、制御手段１０の制御により、ステップＳ３０１へ戻り、以降の処理を繰り返す。
【００５４】
ステップＳ３０４において、自機の位置が位置範囲外であると判定した場合（Ｓ３０４：ＮＯ）、携帯型電話機１は、制御手段１０の制御により、ステップＳ３０１へ戻り、以降の処理を繰り返す。
【００５５】
前記実施の形態２では、設定されている時刻に位置範囲情報が示す閉領域の内部に携帯型電話機１が存在する場合に音声を出力する形態を示したが、本発明はこれに限らず、例えば位置範囲情報が示す閉領域の外部を、設定されている位置範囲と見なす様に設定することも可能であり、その場合、「待ち合わせの時刻です。新橋まで急いで下さい。」という様な音声を出力する等、様々な形態に展開することが可能である。
【００５６】
また前記実施の形態２では、時刻及び位置範囲の双方を設定する形態を示したが、時刻のみを設定し、自機の位置と関連付ける形態でもよい。例えば時刻が１２：００の場合に「お腹がすいたよ。」という音声を出力した上で、自機の位置を検出し、検出した自機の位置に基づいてデータ通信を行い、検出した位置の近傍のレストランをウェブページとして表示させる形態等、様々な形態に展開することが可能である。
【００５７】
実施の形態３．
実施の形態３は、実施の形態２において、地図データベースを携帯型電話機が内蔵する形態である。図６は、本発明の実施の形態３における携帯型電話機の構成を示すブロック図である。図６中１は、本発明の実施の形態３における携帯型電話機であり、携帯型電話機１は、記録手段１１を備え、記録手段１１の記録領域の一部は、地名又は建造物名を示す地理情報と、経度及び緯度を用いて位置範囲を示す位置範囲情報とを対応付けて記録する地図データベース１１ａとして用いられている。なお携帯型電話機１のその他の構成については、実施の形態１及び実施の形態２と同様であるので、実施の形態１及び実施の形態２と同様の構成要素については実施の形態１及び実施の形態２と同様の符号を付し、その機能については、実施の形態１及び実施の形態２を参照するものとし、詳細な説明を省略する。
【００５８】
次に本発明の実施の形態３における携帯型電話機１の処理について説明する。図７は、本発明の実施の形態３における携帯型電話機１のスケジュール設定処理を示すフローチャートである。携帯型電話機１は、制御手段１０の制御により、キー入力手段１７等の入力手段から地理情報を含むスケジュール情報の入力を受け付け（Ｓ４０１）、スケジュール情報に含まれる地理情報に対応付けられた位置範囲情報を地図データベース１１ａから抽出し（Ｓ４０２）、抽出した位置範囲情報及びステップＳ４０１にて受け付けたスケジュール情報を、スケジュールとして記録手段１１に記録する（Ｓ４０３）。このようにしてスケジュールが設定される。
【００５９】
本発明の実施の形態３における携帯型電話機１のスケジュール通知処理は、実施の形態２におけるスケジュール通知処理と同様であるので、実施の形態２を参照するものとし、その説明を省略する。
【００６０】
前記実施の形態３では、スケジュール設定処理時に、地理情報を位置範囲情報に変換する処理を行ったが、本発明はこれに限らず、スケジュール通知処理時に地理情報を位置範囲情報に変換する様にしても良い等、様々な形態に展開することが可能である。
【００６１】
前記実施の形態１乃至実施の形態３では、携帯型電子機器として携帯型電話機を用いる形態を示したが、本発明はこれに限らず、ＰＤＡ(Personal Digital Assistants) 等の様々な携帯型電子機器に適用することが可能である。
【図面の簡単な説明】
【００６２】
【図１】本発明の実施の形態１における携帯型電話機の構成を示すブロック図である。
【図２】本発明の実施の形態１における携帯型電話機の処理を示すフローチャートである。
【図３】本発明の実施の形態２における通信システムの構成を示すブロック図である。
【図４】本発明の実施の形態２における携帯型電話機及び中央装置のスケジュール設定処理を示すフローチャートである。
【図５】本発明の実施の形態２における携帯型電話機のスケジュール通知処理を示すフローチャートである。
【図６】本発明の実施の形態３における携帯型電話機の構成を示すブロック図である。
【図７】本発明の実施の形態３における携帯型電話機のスケジュール設定処理を示すフローチャートである。
【符号の説明】
【００６３】
１  携帯型電話機
１０  制御手段
１１  記録手段
１２  通信制御手段
１３  通信手段
１４  音声出力手段
１５  音声入力手段
１６  音声処理手段
１７  入力手段
１８  表示手段
１９  位置検出手段
２０  時計手段
３１，３２  コンピュータプログラム
４１  パケット交換網
４２  無線電話回線網
【図１】
2006319472.tif 000003
【図２】
2006319472.tif 000004
【図３】
2006319472.tif 000005
【図４】
2006319472.tif 000006
【図５】
2006319472.tif 000007
【図６】
2006319472.tif 000008
【図７】
2006319472.tif 000009